(57)【要約】【課題】既に所持している低精細の方のメディアを活用して高精細のコンテンツを再生し、同じコンテンツが記録された次世代メディアを新たに購入しなくとも良くした再生システム及び光ディスク装置を提供する。【解決手段】制御部２１は、ＤＶＤ１００のタイトル名をＤＶＤ１００のコンテンツデータからＰＵヘッド２２に読取らせる。制御部２１は、読取ったＤＶＤ１００のタイトル名をＤＢサーバ４に送信する。制御部４１は、ＤＶＤ１００のタイトル名に対応するＨＤストリーミングデータをハードディスク４２から読み出し、ネットワーク５を介してブルーレイプレーヤ２に配信する。ＤＢサーバ４からのＨＤストリーミングデータの配信が始まると、ブルーレイプレーヤ２は、ストリーミング再生を開始する。このようにして、再生システム１０１は、既にユーザが所持しているＤＶＤ１００を活用して高精細のコンテンツを再生する。【選択図】  図１
2009048714.tif 000002
【特許請求の範囲】
【請求項１】
第１のコンテンツデータと該第１のコンテンツデータのタイトル名とが予め記録されている第１の光ディスクを再生する再生手段を有する光ディスク装置と、
ネットワークを介して前記光ディスク装置と接続されるサーバと、を備えた再生システムにおいて、
前記光ディスク装置は、前記第１のコンテンツデータのタイトル名を前記第１の光ディスクから読取り、前記ネットワークを介して前記サーバに送信する通信手段を有し、
前記サーバは、
前記第１のコンテンツデータより高精細な第２のコンテンツデータをタイトル名毎に予め記憶する記憶手段と、
前記通信手段から送信された前記第１のコンテンツデータのタイトル名に対応する第２のコンテンツデータを前記記憶手段から読み出し、前記ネットワークを介して前記光ディスク装置に配信する配信手段と、を有し、
前記光ディスク装置の前記再生手段は、前記第２のコンテンツデータが前記配信手段から配信されると、前記第２のコンテンツデータを再生する、再生システム。
【請求項２】
前記光ディスク装置は、前記第２のコンテンツデータを前記再生手段に再生させるかどうかの選択を受付ける選択手段を有する請求項１に記載の再生システム。
【請求項３】
前記サーバは、暗号化された前記第１のコンテンツデータを復号する復号キーをタイトル名毎に予め記憶する記憶手段を有し、
前記通信手段は、前記配信手段から配信される前記第２のコンテンツデータを前記再生手段が再生する前に、前記サーバと通信して、前記第１のコンテンツデータのタイトル名に対応する前記記憶手段の前記復号キーと同じものが、前記第１の光ディスクに記録されているかどうか調べ、
前記再生手段は、同じものが前記第１の光ディスクに記録されていない場合、前記第２のコンテンツデータの再生を禁止する請求項１又は２に記載の再生システム。
【請求項４】
前記配信手段は、ストリーミングにより前記第２のコンテンツデータを前記光ディスク装置に配信する請求項１から３のいずれかに記載の再生システム。
【請求項５】
前記再生手段は、さらに、前記第１の光ディスクより大容量の第２の光ディスクを再生する手段である請求項１から４のいずれかに記載の再生システム。
【請求項６】
前記第１の光ディスクは、ＤＶＤであり、
前記第２のコンテンツデータは、ブルーレイディスク又はＨＤＤＶＤに記録されるデータである請求項１から５のいずれかに記載の再生システム。
【請求項７】
第１のコンテンツデータと該第１のコンテンツデータのタイトル名とが予め記録されている第１の光ディスクを再生する再生手段を有する光ディスク装置において、
前記第１のコンテンツデータのタイトル名を前記第１の光ディスクから読取り、予め定められたサーバにネットワークを介して送信する通信手段を備え、
前記再生手段は、前記第１のコンテンツデータより高精細な第２のコンテンツデータであって同一タイトル名の第２のコンテンツデータを前記通信手段が前記サーバから受信すると、前記第２のコンテンツデータを再生する光ディスク装置。
【発明の詳細な説明】
【技術分野】
【０００１】
本発明は、本発明は、コンテンツが録画されている光ディスクがセットされる光ディスク装置と、ネットワークを介して光ディスク装置と通信するサーバと、を備える再生システム、及びこのシステムで適用される光ディスク装置に関するものである。
【背景技術】
【０００２】
従来から、ＳＤ（Standard Definition）画像を再生できるメディアとしてＤＶＤ（Digital Versatile Disk）が一般に広く普及している。
さらに、近年、ＳＤ画像よりも高解像度であるＨＤ（High Definition）画像を再生できる次世代メディアとしてブルーレイディスク（Blue−Ray Disc）やＨＤＤＶＤ（High Definition DVD）が普及し始めている。大容量化が可能であるブルーレイディスクやＨＤＤＶＤにより、ユーザは高精細な画像であるＨＤ画像を楽しむことができる。
なお、特許文献１では、再生システムが提案されている。
【特許文献１】特開２００６−３５２７７８公報
【発明の開示】
【発明が解決しようとする課題】
【０００３】
しかしながら、既に所持しているＤＶＤと同じコンテンツをＨＤ画像で鑑賞したい場合でも、ユーザは、ブルーレイディスクやＨＤＤＶＤを新たに購入する必要があった。そのため、ユーザは、該ＤＶＤと同じコンテンツが記録されているにも係わらず、ブルーレイディスクやＨＤＤＶＤの購入費用を新たに負担しなければならなかった。
また、ブルーレイディスクやＨＤＤＶＤを購入することにより、低精細の方のＤＶＤが不要になってしまう。そこで、不要になったＤＶＤは廃棄されるが、そのＤＶＤの廃棄によって環境への悪影響が心配されていた。従来例では、その点への配慮が考慮されていなかった。
【０００４】
以上の問題は、ブルーレイディスクやＨＤＤＶＤの次世代メディアが将来登場した時にも再び起こり得る問題である。
【０００５】
本発明はこのような従来の課題を解決しようとするものであり、既に所持している低精細の方のメディアを活用して高精細のコンテンツを再生し、同じコンテンツが記録された次世代メディアを新たに購入しなくとも良くした再生システム及び光ディスク装置を提供することを目的とする。
【課題を解決するための手段】
【０００６】
本発明の再生システムは、前記課題を解決するために以下の構成を備えている。
【０００７】
（１）第１のコンテンツデータと該第１のコンテンツデータのタイトル名とが予め記録されている第１の光ディスクを再生する再生手段を有する光ディスク装置と、
ネットワークを介して前記光ディスク装置と接続されるサーバと、を備えた再生システムにおいて、
前記光ディスク装置は、前記第１のコンテンツデータのタイトル名を前記第１の光ディスクから読取り、前記ネットワークを介して前記サーバに送信する通信手段を有し、
前記サーバは、
前記第１のコンテンツデータより高精細な第２のコンテンツデータをタイトル名毎に予め記憶する記憶手段と、
前記通信手段から送信された前記第１のコンテンツデータのタイトル名に対応する第２のコンテンツデータを前記記憶手段から読み出し、前記ネットワークを介して前記光ディスク装置に配信する配信手段と、を有し、
前記光ディスク装置の前記再生手段は、前記第２のコンテンツデータが前記配信手段から配信されると、前記第２のコンテンツデータを再生する。
【０００８】
この構成において、両コンテンツデータは、映画等のコンテンツを示すデータである。第１のコンテンツデータは、ＳＤ画像と音声を含むＳＤコンテンツを示すデータである。また、第２のコンテンツデータは、ＨＤ画像と音声を含むＨＤコンテンツを示すデータである。そして、両コンテンツデータのタイトル名は、映画等のタイトル名である。
この構成では、例えばユーザが第１の光ディスクをセットすると、通信手段が、第１の光ディスクに記録されている第１のコンテンツデータのタイトル名をサーバに送信する。タイトル名が受信されると、サーバの配信手段は、そのタイトル名と同一タイトルの第２のコンテンツデータを光ディスク装置に配信する。これにより、再生手段は、第１のコンテンツデータと同一タイトルの第２のコンテンツデータを再生する。
このようにして、再生システムは、既にユーザが所持している第１の光ディスクを活用して高精細のコンテンツを再生する。そのため、ユーザは、第１の光ディスクと同じコンテンツが記録された第２の光ディスク（次世代メディア）を新たに購入しなくとも済む。よって、ユーザは、第２の光ディスクの購入費用を負担しなくとも済む。
また、第１の光ディスクを活用して高精細のコンテンツを再生するので、第１の光ディスクが不要になることも無い。よって、第１の光ディスクが廃棄されることも無くなり、環境を保護することもできる。
【０００９】
（２）前記光ディスク装置は、前記第２のコンテンツデータを前記再生手段に再生させるかどうかの選択を受付ける選択手段を有する。
【００１０】
この構成により、ユーザは、ＨＤストリーミングデータを再生するかどうか、自分の使用方法に応じて選択手段で選択できる。
【００１１】
（３）前記サーバは、暗号化された前記第１のコンテンツデータを復号する復号キーをタイトル名毎に予め記憶する記憶手段を有し、
前記通信手段は、前記配信手段から配信される前記第２のコンテンツデータを前記再生手段が再生する前に、前記サーバと通信して、前記第１のコンテンツデータのタイトル名に対応する前記記憶手段の前記復号キーと同じものが、前記第１の光ディスクに記録されているかどうか調べ、
前記再生手段は、同じものが前記第１の光ディスクに記録されていない場合、前記第２のコンテンツデータの再生を禁止する。
【００１２】
この構成において、通信手段は、第１の光ディスクがオリジナル品であるかどうか判断している。復号キーと同じものが第１の光ディスクに記録されていない場合、即ち第１の光ディスクが適正に暗号化されていない場合、通信手段は第１の光ディスクをコピー品であるみなす。
そして、第１の光ディスクがコピー品であると判断された場合、再生手段は、第２のコンテンツデータの再生を禁止する。これにより、不正にＳＤコンテンツを取得した者によるＨＤコンテンツの鑑賞を防止できる。
【００１３】
（４）前記配信手段は、ストリーミングにより前記第２のコンテンツデータを前記光ディスク装置に配信する。
【００１４】
（５）前記再生手段は、さらに、前記第１の光ディスクより大容量の第２の光ディスクを再生する手段である。
【００１５】
この構成において、第２の光ディスクが次世代メディアに相当する。第２の光ディスクには、第２のコンテンツデータが記録されて販売される。
【００１６】
（６）前記第１の光ディスクは、ＤＶＤであり、
前記第２のコンテンツデータは、ブルーレイディスク又はＨＤＤＶＤに記録されるデータである。
【００１７】
また、本発明の光ディスク装置は、前記課題を解決するために以下の構成を備えている。
【００１８】
（７）第１のコンテンツデータと該第１のコンテンツデータのタイトル名とが予め記録されている第１の光ディスクを再生する再生手段を有する光ディスク装置において、
前記第１のコンテンツデータのタイトル名を前記第１の光ディスクから読取り、予め定められたサーバにネットワークを介して送信する通信手段を備え、
前記再生手段は、前記第１のコンテンツデータより高精細な第２のコンテンツデータであって同一タイトル名の第２のコンテンツデータを前記通信手段が前記サーバから受信すると、前記第２のコンテンツデータを再生する。
【００１９】
この構成における光ディスク装置は、上記（１）の再生システムに用いられる。
これにより、上記（１）と同様の効果を奏する。
【発明の効果】
【００２０】
この発明によれば、ユーザは、第１の光ディスクと同じコンテンツが記録された次世代メディアを新たに購入しなくとも済む。また、第１の光ディスクが廃棄されることも無くなり、環境を保護することもできる。
【発明を実施するための最良の形態】
【００２１】
以下、本発明の実施形態である再生システムについて説明する。
【００２２】
図１は、本発明の実施形態である再生システムのシステム構成図である。再生システム１０１は、DVD１００がセットされるブルーレイプレーヤ２と、インタフェースを介してブルーレイプレーヤ２と接続されるテレビジョン（以下、「TV」と称する）３と、ネットワーク５を介してブルーレイプレーヤ２と接続されるデータベース（以下、「DB」と称する）サーバ４と、を備える。
なお、ブルーレイプレーヤ２及びTV３は、各ユーザの家で使用される。DBサーバ４は、ネットワーク５上に設けられたサーバである。つまり、DBサーバ４が１台に対し、ブルーレイプレーヤ２を含む複数台のブルーレイプレーヤがネットワーク５を介して接続されている。
【００２３】
DVD１００は、ＤＶＤ（Digital  Versatile  Disk）規格に準拠して製造されたＤＶＤ−ROMである。DVD１００は、ユーザが過去に購入して所持しているディスクとする。また、DVD１００には、映画等のＳＤ画像と音声を含むコンテンツデータ（以下、必要に応じて「ＳＤデータ」と称する。）とそのコンテンツのタイトル名とが、ＤＶＤ−ＶＩＤＥＯフォーマットで予め記録されているものとする。
【００２４】
ブルーレイプレーヤ２は、ブルーレイディスクの他、DVD１００を再生する。ブルーレイプレーヤ２は、DVD１００からコンテンツデータを読み取り、インタフェースを介してTV３に出力する。これにより、ブルーレイプレーヤ２は、ＳＤ画像のコンテンツをTV３で再生する。
また、ネットワーク５は、例えばインターネットである。
【００２５】
図２は、再生システムに用いられるブルーレイプレーヤの主要な構成を示すブロック図である。ブルーレイプレーヤ２は、装置本体２の各部の動作を制御する制御部２１と、光ディスクに対しデータの読取を行うピックアップヘッド２２（以下、PUヘッド２２と称する。）と、RFアンプなどの再生回路２３と、ユーザの操作を受け付ける操作部２７と、装置本体２を遠隔操作するリモコン２７Aと、ルータ（不図示）を介してネットワーク５に接続されているＮＩＣ（Network Interface Card）２０と、を備えている。さらに、ブルーレイプレーヤ２は、情報を表示する表示部２８と、データを記憶する記憶部２９と、音声データをアナログの再生音声信号に変換する音声処理部２４と、画像データをアナログの再生画像信号に変換すると、ＯＳＤ画像を生成するOSD処理部２５と、合成画像を生成する画像合成部２６と、を備えている。
【００２６】
PUヘッド２２は、図示しないレーザダイオード（ＬＤ）、コリメータレンズ、ビームスプリッタ、対物レンズ、フォトディテクタ、スレッドモータ、及びアクチュエータを備えている。
【００２７】
再生時の動作について説明する。
PUヘッド２２は、DVD１００又はブルーレイディスク（不図示）に対してレーザ光を照射し、DVD１００又はブルーレイディスクからの反射光をフォトディテクタで検出する。これにより、PUヘッド２２は、DVD１００又はブルーレイディスクに記録されているデータを光学的に読み出す。
【００２８】
再生回路２３は、PUヘッド２２における複数の受光素子の出力に基づいてＲＦ信号を生成し、該ＲＦ信号を増幅する。そして、再生回路２３は、該ＲＦ信号を処理して画像と音声のデータを取り出す。ここで、取り出される画像と音声のデータは、再生回路２３が内蔵するバッファメモリ２３Ａに一時的に格納される。そして、再生回路２３は、これらのデータをバッファメモリ２３Ａから順次読み出し、例えばＭＰＥＧでデコードする。そして、再生回路２３は、音声データを音声処理部２４に、画像データを画像合成部２６に、これらのデータの同期を取りながら、それぞれ出力する。この同期は、コンテンツデータの全てに記述されている再生時間に基づいて行われる。具体的には、画像データの再生時間と音声データの再生時間とを一致させることによって再生回路２３は同期を取る。
【００２９】
音声処理部２４は、音声データをアナログの再生音声信号に変換し、その再生音声信号を外部のＴＶ３に出力する。
なお、ＴＶ３がディジタル対応（例えばＨＤＭＩ規格）であれば、ディジタルで出力しても構わない。
【００３０】
OSD処理部２５は、不図示のＯＳＤ画像メモリ（不図示）を内蔵する。ＯＳＤ画像メモリは、例えばフラッシュメモリで構成される。OSD処理部２５は、制御部２１から与えられる制御信号に基づいて、ＯＳＤ画像メモリが記憶しているデータに基づいて文字又は図形のＯＳＤ画像を生成し、画像合成部２６へ出力する。
【００３１】
画像合成部２６は、制御部２１から与えられる制御信号に基づいて、再生回路２３から出力された画像データに基づく画像に、OSD処理部２５から出力されたＯＳＤ画像を合成した合成画像を生成する。
【００３２】
そして、画像合成部２６は、この合成画像の信号をアナログの再生画像信号に変換し、外部のＴＶ３に出力する。又は、画像合成部２６は、再生回路２３から出力された画像データをアナログの再生画像信号に変換し、外部のＴＶ３に出力する。又は、画像合成部２６は、OSD処理部２５から出力されたＯＳＤ画像のデータをアナログの再生画像信号に変換し、外部のＴＶ３に出力する。ここで、これら３パターンの動作は、制御部２１によって切替えられる。
なお、ＴＶ３がディジタル対応（例えばＨＤＭＩ規格）であれば、ディジタルで出力しても構わない。
【００３３】
音声処理部２４及び画像合成部２６には、インタフェースを介してＴＶ３が接続される。ＴＶ３は、ブルーレイプレーヤ２から出力された信号を処理して、画像を画面上に表示したり音声を出力したりする。
【００３４】
ユーザは、このＴＶ３において、音声処理部２４及び画像合成部２６から出力された再生画像信号に基づく画像、及び再生音声信号に基づく音声を視聴することができる。これにより、ユーザは、ＤＶＤ１００に録画されているＳＤ画像のコンテンツを鑑賞する。又は、ユーザは、ブルーレイディスク（不図示）に録画されているＨＤ画像のコンテンツを鑑賞する。
【００３５】
操作部２７は、ユーザがブルーレイプレーヤ２に対して各種の命令（コマンド）を入力するためのものである。操作部２７には、ユーザの操作を受け付ける複数のキーが設けられている。ブルーレイプレーヤ２に対してユーザが入力したコマンドは制御部２１に伝送される。
複数のキーの中には、DVD１００又はブルーレイディスクの再生を指示するための再生キー、ＨＤデータを再生するかどうかの選択を受付ける選択キー、が含まれる。ここで、選択キーの詳細については、後述する。
【００３６】
操作部２７には、リモコン信号検出部（不図示）が設けられている。リモコン信号検出部に対し、装置本体の外部からリモコン２７Aを用いて、電源のON／OFF、再生指示等の命令が入力されると、リモコン信号検出部は、リモコン２７Aからの命令信号を受信して制御部２１に伝送する。リモコン２７Aには、操作部２７と同様のキーが設けられている。
【００３７】
表示部２８は、現在時刻、ブルーレイプレーヤ２の設定状態、所定のメッセージなどを表示する。
【００３８】
記憶部２９は、例えばＥＥＰＲＯＭで構成されている。記憶部２９は、装置本体２の各部の制御方法が記述された制御プログラムを記憶する。さらに、記憶部２９は、DBサーバ４のURLを記憶する。このURLは、ネットワーク５上のアドレスを示す情報である。
【００３９】
制御部２１は、例えばマイクロコンピュータで構成される。また、制御部２１は、上記の制御プログラムなどを展開するワークフィールドとしてのＲＡＭ（不図示）と、現在時刻の計時と時間の計測とを行うタイマー回路（不図示）と、を内蔵する。制御部２１は、ブルーレイプレーヤ２にユーザから入力された命令に応じてブルーレイプレーヤ２の各部の動作を制御する。
【００４０】
なお、ＰＵヘッド２２、再生回路２３、音声処理部２４及び画像合成部２６が、本発明の「再生手段」に相当する。また、ＰＵヘッド２２、制御部２１及びＮＩＣ２０が、本発明の「通信手段」に相当する。また、操作部２７及びリモコン２７Aが、本発明の「選択手段」に相当する。
【００４１】
図３は、再生システムに用いられるＤＢサーバの主要な構成を示すブロック図である。DBサーバ２は、ルータ（不図示）を介してネットワーク５と接続されているNIC（Network Interface Card）４０と、DBサーバ２の各部の動作を制御する制御部４１と、DBサーバ２の各部の制御方法が記述された制御プログラムを記憶するハードディスク４２と、を備える。
【００４２】
制御部４１は、例えばMPUである。さらに、制御部４１は、上記制御プログラムを展開するためのワークフィールドとしてのRAM（不図示）を内臓する。
なお、制御部４１が、本発明の「配信手段」に相当する。また、ハードディスク４２が、本発明の「記憶手段」に相当する。
【００４３】
図４は、ハードディスク４２に記憶されているＨＤテーブル４３の内容を示す図である。ハードディスク４２は、さらに、ストリーミングファイル４３Ａ〜Ｃがタイトル名毎に記述されたＨＤテーブル４３を予め記憶する。ストリーミングファイル４３Ａ〜Ｃのそれぞれは、ＨＤ画像と音声のコンテンツを含むＨＤストリーミングデータを格納している。このＨＤテーブル４３の内容は、例えば一週間毎に最新の情報に更新する。そのため、この一覧のタイトル名の数は、ブルーレイディスクが発売される都度増えていく。
なお、ストリーミングファイル４３Ａ〜Ｃのそれぞれに格納されているＨＤのストリーミングデータが、本発明の「第２のコンテンツデータ」に相当する。
また、この実施形態では、ＨＤのストリーミングデータがＨＤ画像と音声を含むＨＤコンテンツを示すデータであるが、実施の際は、ＨＤ画像のコンテンツのみ含むデータであっても構わない。
【００４４】
図５は、本発明の実施形態である発売情報通知システムにおける、ブルーレイプレーヤ２とＤＢサーバ４における各制御部の動作を示すフローチャートである。
【００４５】
ユーザがＤＶＤ１００をブルーレイプレーヤ２にセットすると（Ｓ１）、ブルーレイプレーヤ２の制御部２１は、ＤＶＤ１００のタイトル名をＤＶＤ１００からＰＵヘッド２２に読取らせる（Ｓ２）。このタイトル名は、例えば映画のタイトル名である。そして、このタイトル名は、ＤＶＤ１００の制御情報（例えばＮＡＶＩ情報）に、映画の配給元とともに予め記載されている。また、ＤＶＤ１００のコンテンツデータは、ＳＤ画像および音声のコンテンツを含むデータである。
なお、読取られたＤＶＤ１００のタイトル名は、再生回路２３を介して制御部２１に入力される。
【００４６】
そして、制御部２１は、読取ったＤＶＤ１００のタイトル名をＮＩＣ２０からＤＢサーバ４に送信する（Ｓ３）。これにより、ＤＢサーバ４は、ネットワーク５を介して伝送されてきたＤＶＤ１００のタイトル名をＮＩＣ４０で受信する。
ここで、Ｓ３について詳述すると、DBサーバ４のＵＲＬ（Uniform Resource Locator）は、記憶部２９に予め記憶させておく。さらに、ブルーレイプレーヤ２に割り振られたＩＰアドレスも記憶部２９に予め記憶させておく。そのため、制御部２１は、このＵＲＬを宛て先として、ＤＶＤ１００のタイトル名を、そのＩＰアドレスとともにＤＢサーバ４に送信する。
なお、ＩＰアドレスとは、ネットワーク５上でブルーレイプレーヤ２を識別する識別番号である。ＩＰアドレスは、ネットワーク５上におけるブルーレイプレーヤ２の所在を示す情報である。
【００４７】
ＤＢサーバ４の制御部４１は、ＮＩＣ４０で受信したＤＶＤ１００のタイトル名が、ＨＤテーブル４３のタイトル名の一覧の中にあるかどうかを検索する（Ｓ１１）。例えば図４では、ＤＶＤ１００のタイトル名が「野鳥物語１」であれば、ＨＤテーブル４３の一覧の中にあるので、制御部４１は、同一タイトル名を発見できる。逆に、ＤＶＤ１００のタイトル名が「野鳥物語３」であれば、ＨＤテーブル４３の一覧の中に無いので、制御部４１は、同一タイトル名を発見できない。この場合、検索結果は、発見できなかったという結果になる。
【００４８】
そして、制御部４１は、Ｓ１１の検索結果をＮＩＣ４０からブルーレイプレーヤ２に返信する（Ｓ１２）。これにより、ブルーレイプレーヤ２は、ネットワーク５を介して伝送されてきたＳ１１の検索結果をＮＩＣ２０で受信する。
なお、Ｓ１２について詳述すると、制御部４１は、ブルーレイプレーヤ２のＩＰアドレスを宛て先として、Ｓ１１の検索結果をブルーレイプレーヤ２に返信する。
【００４９】
ブルーレイプレーヤ２の制御部２１は、ＮＩＣ２０が検索結果を受信すると、その検索結果から、装置本体２にセットされているＤＶＤ１００に記録されているＳＤデータのタイトル名と同じタイトル名のＨＤデータがＤＢサーバ４にアップロードされているかどうかを判断する（Ｓ４）。アップロードされていなければ、制御部２１は、本処理を終了する。この後、ユーザが再生キーを押下すると、ブルーレイプレーヤ２は、ＤＶＤ１００を再生する。
【００５０】
一方、アップロードされていれば、制御部２１は、装置本体２にセットされているＤＶＤ１００のコンテンツよりも高解像度のコンテンツを再生するかどうかの選択を促す選択メッセージをＴＶ３又は表示部２８で表示する（Ｓ５）。この選択メッセージは、例えば「同一タイトルで高解像度のものがサーバーに保存されています。現在セットされているＤＶＤよりも高解像度のコンテンツを鑑賞することができます。再生されますか？」である。この選択メッセージを見て、ユーザは、選択キーで選択する。これにより、ユーザはＨＤストリーミングデータを再生するかどうか、自分の使用方法に応じて選択できる。
なお、Ｓ５において、高解像度のコンテンツの再生を有料とし、その再生に対する料金を選択メッセージとともに表示しても構わない。この場合、例えば「同一タイトルで高解像度のものがサーバーに保存されています。現在セットされているＤＶＤよりも高解像度のコンテンツを鑑賞することができます。再生には３００円必要ですが、再生されますか？」と表示される。
【００５１】
そして、制御部２１は、選択キーで、ＨＤストリーミングデータの再生が選択されたかどうかを判断する（Ｓ６）。ＨＤストリーミングデータの再生が選択されなければ、制御部２１は、本処理を終了する。この後、ユーザが再生キーを押下すると、ブルーレイプレーヤ２は、ＤＶＤ１００を再生する。
【００５２】
ＨＤストリーミングデータの再生が選択されれば、制御部２１は、ＤＶＤ１００がオリジナル品であるかどうかの認証を行う（Ｓ７）。この認証は、ＤＶＤ１００のＳＤデータが適正に暗号化されているかどうかにより行われる。例えば、まず、ハードディスク４２に、各タイトル名に対応付けて適正なＣＳＳ（Content Scrambling System）キーを予め記憶させておく（図４参照）。ＣＳＳキーは、暗号化されたＳＤデータを復号する復号キーである。さらに、制御部２１は、ＤＶＤ１００からタイトル名を取得する。そして、制御部２１は、ＤＢサーバ２と通信して、タイトル名に対応するＣＳＳキーを調べ、そのＣＳＳキーと同じものがＤＶＤ１００に記録されているかどうか調査する。そして、そのＣＳＳキーと同じものがＤＶＤ１００に記録されていない場合、即ちＤＶＤ１００が適正に暗号化されていない場合、制御部２１はＤＶＤ１００をコピー品であるみなす。
【００５３】
そこで、ＤＶＤ１００がコピー品であると判断した場合、制御部２１は、本処理を終了する。即ち、制御部２１は、ＨＤストリーミングデータの再生を禁止する。これにより、不正にＳＤコンテンツを取得した者によるＨＤコンテンツの鑑賞を防止できる。
なお、実施の際は、Ｓ７をスルーしても構わない。
【００５４】
一方、Ｓ７においてＤＶＤ１００がオリジナル品であると判断した場合、制御部２１は、ＨＤストリーミングデータの提供をＤＢサーバ４に要求する（Ｓ８）。
【００５５】
要求されると、制御部４１は、ＤＶＤ１００のタイトル名に対応するＨＤストリーミングデータをハードディスク４２から読み出し、ネットワーク５を介してブルーレイプレーヤ２に配信する（Ｓ１３）。
【００５６】
ＤＢサーバ４からのＨＤストリーミングデータの配信が始まると、ブルーレイプレーヤ２は、ストリーミング再生を開始する（Ｓ９）。例えば、ＤＶＤ１００のタイトル名が「野鳥物語１」であった場合、ストリーミングファイル４３Ａがストリーミング再生される。Ｓ９について詳述すると、ＤＢサーバ４から配信されたＨＤストリーミングデータは、ＮＩＣ２０で受信され、バッファメモリ３０に蓄積されていく。再生回路２３は、蓄積されているＨＤストリーミングデータをバッファメモリ３０から順次読み出して、（例えばＭＰＥＧで）デコードする。そして、再生回路２３は、音声データを音声処理部２４に、画像データを画像合成部２６に、これらのデータの同期を取りながら、それぞれ出力する。この後の動作は、再生時の動作と同じである。
なお、この実施形態では、ストリーミングによりＨＤコンテンツのデータを再生しているが、実施の際は、ＨＤコンテンツのデータをＤＢサーバ４から全てダウンロードしてから、ＨＤコンテンツのデータを再生しても構わない。
【００５７】
以上のようにして、再生システム１０１は、既にユーザが所持しているＤＶＤ１００を活用して高精細のコンテンツを再生している。そのため、ユーザは、ＤＶＤ１００と同じコンテンツが記録されたブルーレイディスクを新たに購入しなくとも済む。よって、ユーザは、ブルーレイディスクの購入費用を負担しなくとも済む。
また、ＤＶＤ１００を活用して高精細のコンテンツを再生するので、ＤＶＤ１００が不要になることも無い。よって、ＤＶＤ１００が廃棄されることも無くなり、環境を保護することもできる。
【図面の簡単な説明】
【００５８】
【図１】本発明の実施形態である再生システムのシステム構成図
【図２】再生システムに用いられるブルーレイプレーヤの主要な構成を示すブロック図
【図３】再生システムに用いられるＤＢサーバの主要な構成を示すブロック図
【図４】ハードディスク４２に記憶されているＨＤテーブル４３の内容を示す図
【図５】本発明の実施形態である再生システムにおける、ブルーレイプレーヤ２とＤＢサーバ４における各制御部の動作を示すフローチャート
【符号の説明】
【００５９】
２−ブルーレイプレーヤ
３−ＴＶ
４−ＤＢサーバ
５−ネットワーク
２０−ＮＩＣ
２１−制御部
２２−ピックアップヘッド
２３−再生回路
２３Ａ−バッファメモリ
２４−音声処理部
２６−画像合成部
２７−操作部
２７A−リモコン
２８−表示部
２９−記憶部
４０−ＮＩＣ
４１−制御部
４２−ハードディスク
４３−ＨＤテーブル
１００−ＤＶＤ
１０１−再生システム
【図１】
2009048714.tif 000003
【図２】
2009048714.tif 000004
【図３】
2009048714.tif 000005
【図４】
2009048714.tif 000006
【図５】
2009048714.tif 000007